(57)【要約】【課題】携帯性を有し、携帯時には液体香気成分が外に漏れることのない、安全性に優れ、かつ、香気成分の揮散性を制御した香気成分持続揮散性シート、それを用いた匂い袋及び虫除け袋を提供する。【解決手段】液体香気成分をゲル化剤でゲル化した香気成分含有ゲルを、気体透過性および熱可塑性を有するポリマー材料で包装した香気成分持続揮散性シート、上記、気体透過性および熱可塑性を有するポリマー材料が、ウレタン系の熱可塑性エラストマーであることを特徴とする上記香気成分持続揮散性シート、それを用いた匂い袋及び虫除け袋。【選択図】なし【特許請求の範囲】
【請求項１】
液体香気成分をゲル化剤でゲル化した香気成分含有ゲルを、気体透過性および熱可塑性を有するポリマー材料で包装した香気成分持続揮散性シート。
【請求項２】
上記、気体透過性および熱可塑性を有するポリマー材料が、ウレタン系の熱可塑性エラストマーであることを特徴とする請求項１記載の香気成分持続揮散性シート。
【請求項３】
請求項１〜２のいずれかに記載の香気成分持続揮散性シートを用いた芳香剤としての匂い袋。
【請求項４】
請求項１〜２のいずれかに記載の香気成分持続揮散性シートを用いた害虫忌避剤としての虫除け袋。
【発明の詳細な説明】
【技術分野】
【０００１】
本発明は、香気成分含有ゲルを包装した香気成分持続揮散性シート及びその用途に関する。更に詳しくは、液体香気成分を高含有率で保持した香気成分含有ゲルを、気体透過性および熱可塑性を有するポリマー材料で包装した、携帯性に優れ、香気成分を長時間にわたり放出できる香気成分持続揮散性シート及びその用途に関する。
【背景技術】
【０００２】
従来から担体等に液体香気成分を含有させて、シートで包装した芳香剤や害虫忌避剤がある。例えば、フェロモン物質を含有させた多孔質担体をポリエチレンなどの制御膜で被覆し、フェロモン物質の放出を制御したフェロモン製剤（特許文献１参照）、ガスバリヤー性の外面フィルムをはがすことにより、有孔フィルムや不織布からなる内面フィルムを通して有効成分が蒸散される、マット状の防虫忌避剤、昇華性薬剤、芳香剤用の包装袋（特許文献２参照）、常温または体温で揮散する忌避剤または低毒性殺虫剤を紙、プラスチックシートまたは連続発泡プラスチックフォーム等の担体に含浸させた虫除け具（特許文献３参照）、芳香剤を含浸定着させた多孔質材シートと、多孔質材シートを保持した接着面を有する車用芳香放出具（特許文献４参照）、少なくとも片面が可撓性のガス透過性フィルムの内部に蒸散液を収容、密閉した蒸散液収容袋（特許文献５参照）がある。
【特許文献１】特開昭５９−１３７０１号公報
【特許文献２】特開平９−８６５６８号公報
【特許文献３】特開平９−１５４４７０号公報
【特許文献４】特開２００１−１９９８５９号公報
【特許文献５】特開２００４−８１１７９号公報
【発明の開示】
【発明が解決しようとする課題】
【０００３】
しかしながら、これらの特許文献に記載された芳香剤や害虫忌避剤は、含浸や塗布した担体を被覆した多孔質膜や不織布を通して液体香気成分を揮散するものが多く、有効成分を定常的に揮散できない、香気成分が直接肌や衣類などに触れる、携帯性に優れないという課題がある。
【０００４】
例えば、特許文献１の場合では、フェロモン物質が担持層に吸着されたまま放出されずに残留し、有効成分を効率的に利用できない。特許文献２の場合では、防虫忌避剤、昇華性薬剤、芳香剤の有効成分を含浸させたマットを用いるために、有効成分を定常的かつ持続的に揮散させることは難しい。また、開口部より有効成分に直接肌が触れる可能性がある。特許文献３の場合では、忌避剤または低毒性殺虫剤を含浸させた紙、プラスチックシートまたは連続発泡プラスチックフォームを担体として用いるために、特許文献１と同じ問題点がある。特許文献４の場合では、多孔質材シートの微細孔に多量の芳香剤を含浸定着させることは難しく、多孔質材シートの孔径で揮散性をコントロールしているため有効成分の初期の揮散量が大きくなる。特許文献５の場合では、蒸散液をガス透過性フィルムで密閉したものであるが、その使用時には加熱蒸散装置が必要であり、また、携帯性についても考慮されていない。
【０００５】
本発明の目的は、携帯可能な、携帯時には液体香気成分が外に漏れることのない、安全性に優れ、かつ、香気成分の揮散性を制御した香気成分持続揮散性シートを提供することである。
【課題を解決するための手段】
【０００６】
本発明は、液体香気成分をゲル化剤でゲル化した香気成分含有ゲルを、気体透過性および熱可塑性を有するポリマー材料で包装した香気成分持続揮散性シートである。
【０００７】
また、本発明は、上記、気体透過性および熱可塑性を有するポリマー材料が、ウレタン系の熱可塑性エラストマーであることを特徴とする上記香気成分持続揮散性シートである。
【０００８】
また、本発明は、上記香気成分持続揮散性シートを用いた芳香剤としての匂い袋である。
【０００９】
また、本発明は、上記香気成分持続揮散性シートを用いた害虫忌避剤としての虫除け袋である。
【発明の効果】
【００１０】
本発明の香気成分持続揮散性シートは、携帯性を有し、安全性に優れ、かつ液体香気成分が持続的に揮散するので、芳香剤としての匂い袋、害虫忌避剤としての虫除け袋として有用である。
【発明を実施するための最良の形態】
【００１１】
本発明は、液体香気成分を持続的かつ効果的に揮散させるために、香気成分を十分に含有させたゲルを、気体透過性および熱可塑性を有するポリマー材料で包装したものである。
【００１２】
本発明で用いる香気成分含有ゲルは、香気成分を合成高分子ゲル化剤でゲル化したものであり、特に担体を用いる必要はない。従って、ゲル中の香気成分の含有量は大きく、たとえ少量の香気成分でも有効に効果を発揮する。ゲル化剤としては、香気成分が油溶性香気成分の場合には疎水性ユニットからなる合成高分子系ゲル化剤、水溶性香気成分の場合には親水性ユニットからなる合成高分子系ゲル化剤を用いることが好ましい。油溶性及び水溶性の両方の性質を有する香気成分の場合は、疎水性ユニットからなる高分子系ゲル化剤と親水性ユニットからなる高分子系ゲル化剤を適宜配合して用いることもできる。具体的には、油溶性香気成分の場合には、疎水性ユニットからなる高分子系ゲル化剤として、スチレン−ブタジエンブロックポリマーが好ましく用いられる。水溶性香気成分の場合には、親水性ユニットからなる合成高分子系ゲル化剤として、ポリエチレンオキサイドが好ましく用いられる。ゲル化剤の添加量としては、液体香気成分１００重量部に対して、１〜５０重量部の範囲内にあれば良いが、疎水性ユニットからなる高分子系ゲル化剤の場合では１５〜４５重量部、親水性ユニットからなる合成高分子系ゲル化剤の場合では３〜２０重量部程度が特に好ましい。
【００１３】
本発明に用いる気体透過性および熱可塑性を有するポリマー材料は、シート状に加工できるものであれば透明性、不透明性を問わず使用できるが、香気成分含有ゲルを容易かつ完全に密封するためヒートシール性を有し、香気成分の揮散性を制御する上でガラス転移温度が常温以下であることが好ましい。また、良好な耐溶剤性、機械的強度、触感等も有することが好ましい。これらの要件を満たす具体例としては、ポリエチレン、ポリプロピレン、ポリウレタンのエラストマー、およびスチレン系、オレフィン系、塩ビ系、ウレタン系、エステル系、アミド系などの熱可塑性エラストマーが挙げられる。
【００１４】
本発明の目的からすると、ポリウレタン系の熱可塑性エラストマーが好ましく用いられる。ポリウレタン系の熱可塑性エラストマーは、そのソフトセグメントを形成するポリオールによって各種類があり、エステル型としてはポリカーボネート系、アジペート系、ラクトン系、等が挙げられ、エーテル型としてはグリコール系等がある。本発明ではいずれのポリウレタン系の熱可塑性エラストマーも利用できるが、ポリカーボネート系、アジペート系、が特に好ましく用いられる。
【００１５】
本発明では、これらの中から一種を少なくとも片面に用いればよく、例えば、薄い厚さのゲル塊の外面の片側にポリエチレンテレフタレートなどの気体透過性の低い材料を用いると、片面のみからの揮散を行うことができる。また、香気成分の揮散性や袋体としての強度を付与するには、紙や他のポリマーを用いてラミネート加工すればよい。また、ブロッキング性の強い材料を用いる場合には、シートの片面または両面にシボ加工を施して用いればよい。
【００１６】
ポリマーシートの厚さは、薄くすれば香気成分を短期間で揮散できるし、厚くすれば長い期間持続揮散できる。しかし、２０μｍ以下の場合には、取り扱いが難しく、破れ易く、３００μｍ以上の場合には、かさばる、ヒートシール性が悪い、香気成分が浸透、拡散するのに時間を要するという問題があり、本発明の一つの目的である携帯用シートとしては５０〜２００μｍが好ましい。また、２００μｍ以下のポリマーシートを用いれば、香気成分の揮散に伴い香気成分含有ゲルが徐々に硬化するのを、シート越しに指で触れるなどして確認でき、残存香気成分量を知ることが出来る。
【００１７】
本発明に用いる香気成分は、合成香気成分、アロマオイルなどの天然香気成分、香水などがある。また、忌避成分としては、常温揮散性の忌避剤を用いることができる。例えば、ピレスロイド系の殺虫剤は、常温揮散性を有し、一般に安全性が高いことから好適に用いられる。
【実施例】
【００１８】
以下、本発明における実施例を示すが、本発明はこれに限定されるものではない。
【００１９】
（評価方法）
本発明の香気成分持続揮散性シートは、次の方法で評価した。
【００２０】
１．香り持続性評価
香り評価は、官能試験である香り強度試験と、実際の香気成分含有ゲルの重量減少率の変化を求める揮散性試験で総合的に評価した。
【００２１】
（１）香り強度試験
得られた香気成分持続揮散性シートを常温下にて室内に放置し、１日、３日、７日後の香り程度を匂いで評価した。手に取らずに香りを感じる場合を「強い：Ａ」、手に取って香りを感じる場合を「普通：Ｂ」、鼻に近づけないと香りを感じない場合を「弱い：Ｃ」とした。
【００２２】
（２）揮散性試験
得られた香気成分持続揮散性シートを常温下にて室内に放置し、1日、３日、７日後の重量を測定し、重量変化率を下記の計算式により算出した。
重量変化率（重量％）＝[（作製直後の香気成分持続揮散性シート重量−経過後の香気成分持続揮散性シート重量） ／ （調製直後のゲル重量−ゲル化剤重量）] ×１００
【００２３】
２．香気成分含有ゲルの触感試験
得られた香気成分持続揮散性シートを常温下にて室内に放置し、1日、３日、７日後の計３回について、指での触診によって柔軟性の判定をした。シート内でゲルが適度に移動し良好な柔軟性のあるものを○、やや硬化しているものを△、硬化してゲルが移動しないものを×とし、下記の三段階とした。
【００２４】
○：  柔軟性良好
△：  やや硬化
×：  硬化
（香気成分含有ゲルの調製）
油溶性液体香気成分（リモネン：東京化成工業株式会社製）１００重量部に、疎水性ユニットからなる高分子系ゲル化剤として、スチレン−ブタジエンブロックポリマー（商品名：ユーゲルM、有限会社イーシーイー製）の粉体を３０重量部添加し、室温で撹拌後、２〜３時間放置して油溶性香気成分含有ゲルを得た。また、水溶性液体香気成分（ローズマリー香気：インデナ社製）１００重量部に、親水性ユニットからなる高分子系ゲル化剤として、ポリエチレンオキサイド（商品名：アルコックスＥ−６０、明成化学工業株式会社製）の粉体を１０重量部添加し、室温で撹拌後、２〜３時間放置して水溶性香料含有ゲルを得た。これらの香気成分含有ゲルを実施例、比較例で用いた。
【００２５】
（実施例１）
厚さ１００μｍのポリカーボネート系ポリウレタンシート（商品名：エスマーURS、日本マタイ株式会社製）を用いて袋体（寸法  ２５×４０ｍｍ）を作製し、上記油溶性香料含有ゲル０.５ｍｌを封入して香気成分持続揮散性シートを得た。得られた香気成分持続揮散性シートを上記評価方法に従って評価した。
【００２６】
（実施例２）
厚さ１００μｍのポリカーボネート系ポリウレタンシート（商品名：エスマーURS、日本マタイ株式会社製）を用いて袋体（寸法  ２５×４０ｍｍ）を作製し、上記水溶性香料含有ゲル０.５ｍｌを封入して香気成分持続揮散性シートを得た。得られた香気成分持続揮散性シートを上記評価方法に従って評価した。
【００２７】
（実施例３）
厚さ１００μｍのアジペート系ポリウレタンシート（商品名：DUS−２０２、シーダム株式会社製）を用いて袋体（寸法  ２５×４０ｍｍ）を作製し、上記油溶性香料含有ゲル０.５ｍｌを封入して香気成分持続揮散性シートを得た。得られた香気成分持続揮散性シートを上記評価方法に従って評価した。
【００２８】
（実施例４）
厚さ１００μｍのアジペート系ポリウレタンシート（商品名：DUS−２０２、シーダム株式会社製）を用いて袋体（寸法  ２５×４０ｍｍ）を作製し、上記水溶性香料含有ゲル０.５ｍｌを封入して香気成分持続揮散性シートを得た。得られた香気成分持続揮散性シートを上記評価方法に従って評価した。
【００２９】
（実施例５）
厚さ５０μｍのポリカーボネート系ウレタンシート（商品名：エスマーURS、日本マタイ株式会社製）を用いて袋体（寸法  ２５×４０ｍｍ）を作製し、上記油溶性香料含有ゲル０.５ｍｌを封入して香気成分持続揮散性シートを得た。得られた香気成分持続揮散性シートを上記評価方法に従って評価した。
【００３０】
（実施例６）
厚さ２００μｍのポリカーボネート系ウレタンシート（商品名：エスマーURS、日本マタイ株式会社製）を用いて袋体（寸法  ２５×４０ｍｍ）を作製し、上記油溶性香料含有ゲル０.５ｍｌを封入して香気成分持続揮散性シートを得た。得られた香気成分持続揮散性シートを上記評価方法に従って評価した。
【００３１】
（参考例１）
油溶性香料含有ゲル０.５ｍｌをガラス製容器（寸法  ２５×４０ｍｍ、深さ  １０ｍｍ）に充填し、上記評価方法に従って評価した。また、比較例１、実施例１の揮散率を図１に示した。本発明の香気成分持続揮散性シートを、匂い袋や虫除け袋として用いた場合の徐放効果が確認できる。
【００３２】
（参考例２）
水溶性香料含有ゲル０.５ｍｌをガラス製容器（寸法  ２５×４０ｍｍ、深さ  １０ｍｍ）に充填し、上記評価方法に従って評価した。
【００３３】
【表１】
2006095185.tif 000002
【図面の簡単な説明】
【００３４】
【図１】実施例１、参考例１の重量減少率を示す図である。
【図１】
2006095185.tif 000003